(57)【特許請求の範囲】
【請求項１】
支柱の上端に取付けられた太陽電池と、支柱内に取付けられて前記太陽電池の発生電力を蓄える蓄電装置と、支柱に前かがみ状に取付けられ、前面に鏡面体が設けられると共にその鏡面体の上部に庇が設けられた反射鏡本体と、前記前かがみ状の鏡面体の上部に取付けられると共にその上方が前記庇に覆われ、又は反射鏡本体の上部背面側に設けられ、周囲の気温を検知する温度センサーと、その鏡面体に付設された曇り止め装置と、支柱内に収容され、温度センサーが所定以下の温度を検知したときのみに、曇り止め装置に蓄電装置の電力を供給し、曇り止め装置により鏡面体の曇りを除去させる制御回路とを有することを特徴とする反射鏡。
【請求項２】
曇り止め装置が、鏡面体に付設された発熱体であることを特徴とする請求項１記載の反射鏡。
【請求項３】
曇り止め装置が、鏡面体に温風を吹き付ける送風機であることを特徴とする請求項１記載の反射鏡。
【請求項４】
曇り止め装置が、鏡面体の前面に付設されたワイパーであることを特徴とする請求項１記載の反射鏡。
【請求項５】
曇り止め装置が、鏡面体に付設された発熱体と鏡面体に温風を吹き付ける送風機とから構成され、又は鏡面体に付設された発熱体と鏡面体の前面に付設されたワイパーとから構成され、又は鏡面体に温風を吹き付ける送風機と鏡面体の前面に付設されたワイパーとから構成されたことを特徴とする請求項１記載の反射鏡。
【発明の詳細な説明】
【０００１】
【発明の属する技術分野】
本発明は、曇り止め機能を有する反射鏡に関するものであって、道路や家庭用ガレージの出入口等、特に屋外に設置される反射鏡として好適に使用されるものである。
【０００２】
【従来の技術】
例えば、道路の曲がり角や見通しの悪い所、家庭用ガレージの出入口等には、車両の走行及び歩行者の通行の安全を確保するために反射鏡が設置されている。ところが従来の反射鏡は、特に夜間や寒冷時において、外気温と鏡面体との温度差により鏡面体が結露しやすく、そのために鏡面体に曇りが生じて反射鏡としての機能が低下することがあった。
【０００３】
上記の如き鏡面体が曇る原因としての結露は、周囲の空気の露点より鏡面体の温度が低くなることによって生じることから、鏡面体の裏側に発熱体を付設し、該発熱体を商用電源により発熱させて鏡面体を暖めることにより、結露による曇りを防止することも考えられ、又鏡面体の裏側に地下水を用いたヒートパイプを付設することも考えられている。
【０００４】
【発明が解決しようとする課題】
しかしながら上記の如き反射鏡において、商用電源を使用したものは、空中ケーブル等の配線、地下埋設配線工事等、設置に手間がかかり、設置場所も限られるという問題点がある。又地下水を用いたヒートパイプを付設するものは、地下水を汲み上げるためのボーリング工事が必要であり、設置にこれまた手間がかかると共に設置工事費が高くなり、且つメンテナンスも容易でない等の問題点がある。
【０００５】
そこで本発明は、上記の如き問題を解決し、設置が容易であり、メンテナンスがほとんど要らず、しかも曇り防止機能を有する反射鏡を提供せんとするものである。
【０００６】
【課題を解決するための手段】
上記目的を達成するために、本発明は次のような構成としている。
すなわち本発明に係る反射鏡は、支柱の上端に取付けられた太陽電池と、支柱内に取付けられて前記太陽電池の発生電力を蓄える蓄電装置と、支柱に前かがみ状に取付けられ、前面に鏡面体が設けられると共にその鏡面体の上部に庇が設けられた反射鏡本体と、前記前かがみ状の鏡面体の上部に取付けられると共にその上方が前記庇に覆われ、又は反射鏡本体の上部背面側に設けられ、周囲の気温を検知する温度センサーと、その鏡面体に付設された曇り止め装置と、支柱内に収容され、温度センサーが所定以下の温度を検知したときのみに、曇り止め装置に蓄電装置の電力を供給し、曇り止め装置により鏡面体の曇りを除去させる制御回路とを有することを特徴とするものである。
【０００７】
本発明は、太陽電池の発生電力を用いた曇り止め装置により鏡面体の曇りを除去させているので、商用電源を用いる場合に必要な空中ケーブル等の配線、地下埋設配線工事等の手間がなく、設置が容易であり、又設置場所も限定されることがなく、太陽光を受けるところであれば、どこでも容易に設置することができ、且つメンテナンスも殆ど不要である。
【０００８】
しかも、温度センサーが所定以下の温度を検知したときにのみ、曇り止め装置が働いて鏡面体の曇りを除去するようになされているので、太陽電池の発生電力を効率よく消費することができる。
【０００９】
本発明における曇り止め装置は、太陽電池の発生電力により働いて、鏡面体の曇りを除去するものであれば、特に限定されるものではなく、鏡面体に付設された発熱体であってもよいし、鏡面体に温風を吹き付ける送風機であってもよいし、鏡面体の前面に付設されたワイパーであってもよい。
【００１０】
さらに曇り止め効果を高めるために、前記発熱体、送風機、ワイパー等が組み合わされて用いられていてもよい。すなわち曇り止め装置が、鏡面体に付設された発熱体と鏡面体に温風を吹き付ける送風機とから構成されていてもよいし、鏡面体に付設された発熱体と鏡面体の前面に付設されたワイパーとから構成されていてもよく、又鏡面体に温風を吹き付ける送風機と鏡面体の前面に付設されたワイパーとから構成されていてもよい。
【００１１】
【発明の実施の形態】
以下に本発明の実施の形態を図面に基づき具体的に説明する。
【００１２】
まず図１は本発明反射鏡の実施の一形態を示す正面図であり、図２はその断面図である。図面において、１は反射鏡本体であって、合成樹脂、金属等から作成され、該反射鏡本体１の前面には鏡面体１１が設けられ、その鏡面体１１の上部には庇１２が設けられている。前記鏡面体１１は反射鏡本体１の前面が鏡面研磨されて形成されていてもよいし、鏡面処理されたアクリル樹脂、ガラス、ステンレス等が反射鏡本体１の前面に付着されることにより形成されていてもよく、特に限定されるものではない。なお反射鏡本体１は図の如く通常支柱１３に取り付けられている。
【００１３】
前記支柱１３の上端には、本反射鏡の電源としての太陽電池２が取り付けられている。該太陽電池２は、単結晶や多結晶のシリコン結晶、アモルファス、化合物半導体等からなるものが一般に使用されるが、特に限定されるものではない。該太陽電池２の発生電力は、支柱１３内に取り付けられた蓄電装置３に蓄えられるようになされている。
【００１４】
４は曇り止め装置であって、本形態では発熱体４ａから構成され、前記蓄電装置３の電力により電気的に発熱し、鏡面体１１を暖めて、結露を防止するようになされている。該発熱体４ａは一般には電熱線や面発熱体等が使用される。なお本形態では、発熱体４ａは反射鏡本体１の内部であって鏡面体１１の裏側に取り付けられているが、鏡面体１１を取り囲む如く鏡面体１１の外周や鏡面体１１上に取り付けられていてもよい。なお発熱体４ａの熱損失を防ぐために、図２の如く発熱体４ａの背面に断熱体５が付設され、発熱体４ａの熱が鏡面体１１側のみに放熱されるようになされていてもよい。断熱体５は、一般には発泡樹脂、無機質等の材質から形成される。
【００１５】
６は周囲の気温を検知する温度センサーであり、鏡面体１１の上部に取付けせれている。温度センサー６としては、温度による電気抵抗の変化を利用したもの、温度による熱膨張を利用したもの、赤外線を利用したもの等、特に限定されるものではない。
【００１６】
７は曇り止め装置４としての発熱体４ａを制御するための制御回路であり、本形態では支柱１３内に収容されている。制御回路７は、温度センサー６が所定以下の温度を検知したときに、発熱体４ａに蓄電装置３の電力を供給して発熱体４ａを発熱させ、鏡面体１１の曇りを除去させる。
【００１７】
なお前記温度センサー６による温度検知によって、発熱体４ａの発熱が開始されるが、その開始温度を何度にするかについては、反射鏡を設置する場所、季節、天候等の条件が結露発生に影響することから、一概には定めにくいが、設置場所における気温と結露発生との関係を統計的に測定し、その測定結果により定めればよい。
【００１８】
なお前記形態においては、曇り止め装置４として発熱体４ａが用いられているが、例えば図３の如く鏡面体１１に温風を吹き付ける送風機４ｂであってもよい。この図３の形態では送風機４ｂは反射鏡本体１の上部に取付けられ、庇１２や鏡面体１１の周囲に設けられた通風孔１４から温風が鏡面体１１に吹き付けられ、鏡面体１１を暖めるようになされている。なおこの場合の温度センサー６は、温風が直接当たらないように、反射鏡本体１の上部背面側に設けられている。
【００１９】
又曇り止め装置４は、例えば図４〜５の如く、鏡面体１１の前面に付設されたワイパー４ｃであってもよく、この図４〜５の形態では、ワイパー４ｃを反射鏡本体１の背面に取付けられたモーター１５により回転させ、鏡面体１１の結露を払拭するようになされている。ワイパー４ｃの数は、鏡面体１１が出来るだけ隠蔽されないように少ない本数とし、且つ幅を狭くしておくのが好ましい。
【００２０】
なお前記形態では、曇り止め装置４として、発熱体４ａ、送風機４ｂ、ワイパー４ｃが単独で用いられているが、曇り止め装置４が発熱体４ａと送風機４ｂとから構成されていてもよいし、発熱体４ａとワイパー４ｃとから構成されていてもよく、又送風機４ｂとワイパー４ｃとから構成されていてもよい。
【００２１】
【発明の効果】
本発明は、太陽電池の発生電力を用いた曇り止め装置により鏡面体の曇りを除去させているので、商用電源を用いる場合に必要な空中ケーブル等の配線、地下埋設配線工事等の手間がなく、設置が容易であり、又設置場所も限定されることがなく、太陽光を受けるところであれば、どこでも容易に設置することができ、且つメンテナンスも殆ど不要である。
【００２２】
しかも、温度センサーが所定以下の温度を検知したときにのみ、曇り止め装置が働いて鏡面体の曇りを除去するようになされているので、太陽電池の発生電力を効率よく消費することができる。
【図面の簡単な説明】
【図１】本発明反射鏡の実施の一形態を示す正面図である。
【図２】図１の断面図である。
【図３】本発明反射鏡の他の実施の一形態を示す断面図である。
【図４】本発明反射鏡の他の実施の一形態を示す正面図である。
【図５】図４の断面図である。
【符号の説明】
１    反射鏡本体
１１  鏡面体
１２  庇
１３  支柱
１４  通風孔
１５  モーター
２    太陽電池
３    蓄電装置
４    曇り止め装置
４ａ  発熱体
４ｂ  送風機
４ｃ  ワイパー
５    断熱材
６    温度センサー
７    制御回路
【図１】
0003634611.tif 000002
【図２】
0003634611.tif 000003
【図３】
0003634611.tif 000004
【図４】
0003634611.tif 000005
【図５】
0003634611.tif 000006